(57)【特許請求の範囲】
【請求項１】
順次供給されたシートにトナー像を形成し、加熱された定着ローラにてトナー像をシートに定着する画像形成装置において、
シートの厚みに係る種類を受け付ける受付手段と、
該受付手段が受け付けた種類のシートが薄い場合、前記定着ローラを加熱させる加熱温度として第１加熱温度を選択し、シートが厚い場合、該第１加熱温度より高温の第２加熱温度を選択する選択手段と、
順次供給されるシートの幅に関する情報を記憶する記憶手段と、
該記憶手段が記憶した情報に基づいて、前記定着ローラの軸方向におけるシートの幅が所定長以上であるか否かを判定するシート幅判定手段と、
該シート幅判定手段が否と判定した場合、又は前記シート幅判定手段が所定長以上であると判定し、前記選択手段が第２加熱温度を選択した場合、前記定着ローラが一のシートにトナー像を定着したとき、シートの供給及び前記定着ローラの加熱を一時停止させる停止手段と
を備え、
前記シート幅判定手段が所定長以上であると判定し、前記選択手段が第１加熱温度を選択した場合、前記定着ローラが一のシートにトナー像を定着したとき、前記定着ローラの加熱を一時停止させることなく、シートの供給を行い、順次画像を形成するようにしてある
ことを特徴とする画像形成装置。
【請求項２】
順次供給されたシートにトナー像を形成し、加熱された定着ローラにてトナー像をシートに定着する画像形成装置において、
シートの厚みに係る種類を検出する検出手段と、
該検出手段が検出した種類のシートが薄い場合、前記定着ローラを加熱させる加熱温度として第１加熱温度を選択し、シートが厚い場合、該第１加熱温度より高温の第２加熱温度を選択する選択手段と、
順次供給されるシートの幅に関する情報を記憶する記憶手段と、
該記憶手段が記憶した情報に基づいて、前記定着ローラの軸方向におけるシートの幅が所定長以上であるか否かを判定するシート幅判定手段と、
該シート幅判定手段が否と判定した場合、又は前記シート幅判定手段が所定長以上であると判定し、前記選択手段が第２加熱温度を選択した場合、前記定着ローラが一のシートにトナー像を定着したとき、シートの供給及び前記定着ローラの加熱を一時停止させる停止手段と
を備え、
前記シート幅判定手段が所定長以上であると判定し、前記選択手段が第１加熱温度を選択した場合、前記定着ローラが一のシートにトナー像を定着したとき、前記定着ローラの加熱を一時停止させることなく、シートの供給を行い、順次画像を形成するようにしてある
ことを特徴とする画像形成装置。
【請求項３】
前記停止手段がシートの供給及び加熱を一時停止させた場合、前記定着ローラを回転させる手段を備える
ことを特徴とする請求項１又は請求項２に記載の画像形成装置。
【発明の詳細な説明】
【技術分野】
【０００１】
本発明は、順次供給されたシートにトナー像を形成し、加熱された定着ローラにてトナー像をシートに定着する画像形成装置に関する。
【背景技術】
【０００２】
電子写真方式の画像形成装置は、感光ドラム、転写ローラ、定着ローラ等を備えており、感光ドラム上に形成された静電潜像にトナーを吸着させることでトナー像を現像し、転写ローラはトナー像をシートに転写する。定着ローラは所定温度に加熱されて、トナー像をシートに定着する。定着ローラの温度は、定着ローラの軸方向略中央部に配された温度検出部の検出結果に基づいて制御されている。
【０００３】
ところで、普通紙に比べて吸熱量が大きい厚紙、紙面が粗い封筒等にトナー像を連続的に定着させるべく定着ローラをより高温に加熱して、定着ローラの軸方向の幅よりも幅狭のシートにトナー像を連続的に定着させる場合、シートが接触する中央部分に比べて、シートが接触しない両端部が高温になり、定着ローラの軸受部が破損する虞がある。そこで、シートを特定時間おきに転写ローラへ供給するように構成された画像形成装置が提案されている（例えば、特許文献１）。
【０００４】
特許文献１に係る画像形成装置においては、シートが定着ローラに接触しない特定時間の間に定着ローラ表面の温度が均一化するため、軸受部の破損を防ぐことができる。
【特許文献１】特開２００３−１５１７３５号公報
【特許文献２】特開２００４−１７７８５３号公報
【発明の開示】
【発明が解決しようとする課題】
【０００５】
しかしながら、特定時間おきにシートを供給する構成であるため、単位時間当たりの画像形成枚数が減少するという問題があった。
【０００６】
本発明は斯かる事情に鑑みてなされたものであり、定着ローラを高温に加熱する場合、順次供給されるシートにトナー像を定着する都度、シートの供給及び定着ローラの加熱を一時停止させるように構成することにより、従来の画像形成装置に比べて、より速やかに定着ローラの両端部の熱を放出させて両端部の破損を防ぐことができ、しかも画像形成速度を上昇させることができる画像形成装置を提供することを目的とする。
【０００７】
本発明の他の目的は、シートの種類を受け付け、定着ローラの加熱温度をシートの種類に応じて高低させるように構成することにより、シートの種類に応じた加熱温度でトナー像をシートに確実に定着させることができ、しかも定着ローラの両端部の破損を防ぎ、画像形成速度を上昇させることができる画像形成装置を提供することにある。
【０００８】
本発明の他の目的は、定着ローラの軸方向におけるシートの幅が所定長未満である場合、又は定着ローラを高温に加熱する場合、順次供給されるシートにトナー像を定着する都度、シートの供給及び定着ローラの加熱を一時停止させるように構成することにより、従来の画像形成装置に比べて、より速やかに定着ローラの両端部の熱を放出させて両端部の破損を防ぐことができ、しかも画像形成速度を上昇させることができる画像形成装置を提供することにある。
【０００９】
本発明の他の目的は、定着ローラの軸方向におけるシートの幅が所定長未満である場合、シートにトナー像を定着する都度、シートの供給及び定着ローラの加熱を一時停止させるように構成することにより、従来の画像形成装置に比べて、より速やかに定着ローラの両端部の熱を放出させて両端部の破損を防ぐことができ、しかも画像形成速度を上昇させることができる画像形成装置を提供することにある。
【００１０】
本発明の他の目的は、シートの供給及び定着ローラの加熱を一時停止すると共に定着ローラを回転させることにより、より効果的に定着ローラの両端部の熱を放出させて両端部の破損を防ぎ、画像形成速度を上昇させることができる画像形成装置を提供することにある。
【課題を解決するための手段】
【００１１】
本発明に係る画像形成装置は、順次供給されたシートにトナー像を形成し、加熱された定着ローラにてトナー像をシートに定着する画像形成装置において、シートの厚みに係る種類を受け付ける受付手段と、該受付手段が受け付けた種類のシートが薄い場合、前記定着ローラを加熱させる加熱温度として第１加熱温度を選択し、シートが厚い場合、該第１加熱温度より高温の第２加熱温度を選択する選択手段と、順次供給されるシートの幅に関する情報を記憶する記憶手段と、該記憶手段が記憶した情報に基づいて、前記定着ローラの軸方向におけるシートの幅が所定長以上であるか否かを判定するシート幅判定手段と、該シート幅判定手段が否と判定した場合、又は前記シート幅判定手段が所定長以上であると判定し、前記選択手段が第２加熱温度を選択した場合、前記定着ローラが一のシートにトナー像を定着したとき、シートの供給及び前記定着ローラの加熱を一時停止させる停止手段とを備え、前記シート幅判定手段が所定長以上であると判定し、前記選択手段が第１加熱温度を選択した場合、前記定着ローラが一のシートにトナー像を定着したとき、前記定着ローラの加熱を一時停止させることなく、シートの供給を行い、順次画像を形成するようにしてあることを特徴とする。
本発明に係る画像形成装置は、順次供給されたシートにトナー像を形成し、加熱された定着ローラにてトナー像をシートに定着する画像形成装置において、シートの厚みに係る種類を検出する検出手段と、該検出手段が検出した種類のシートが薄い場合、前記定着ローラを加熱させる加熱温度として第１加熱温度を選択し、シートが厚い場合、該第１加熱温度より高温の第２加熱温度を選択する選択手段と、順次供給されるシートの幅に関する情報を記憶する記憶手段と、該記憶手段が記憶した情報に基づいて、前記定着ローラの軸方向におけるシートの幅が所定長以上であるか否かを判定するシート幅判定手段と、該シート幅判定手段が否と判定した場合、又は前記シート幅判定手段が所定長以上であると判定し、前記選択手段が第２加熱温度を選択した場合、前記定着ローラが一のシートにトナー像を定着したとき、シートの供給及び前記定着ローラの加熱を一時停止させる停止手段とを備え、前記シート幅判定手段が所定長以上であると判定し、前記選択手段が第１加熱温度を選択した場合、前記定着ローラが一のシートにトナー像を定着したとき、前記定着ローラの加熱を一時停止させることなく、シートの供給を行い、順次画像を形成するようにしてあることを特徴とする。
【００１２】
本発明にあっては、選択手段が定着ローラの加熱温度として、高い加熱温度を選択した場合、定着ローラがシートにトナー像を定着する都度、停止手段はシートの供給及び定着ローラの加熱を一時停止させる。
従って、定着ローラが高い加熱温度で一のシートにトナー像を定着させた場合、一定時間、定着ローラにシートが接触せず、しかも定着ローラは加熱されないため、より速やかに定着ローラ表面の温度が均一化し、定着ローラの両端部の温度が低下する。
【００１４】
本発明にあっては、受付手段がシートの種類を受け付け、選択手段は、受付手段が受け付けたシートの種類に応じて、定着ローラの温度を選択する。例えば、供給されるシートが厚い程、該シートは定着ローラから多量の熱を奪うため、定着ローラをより高温に加熱する必要があり、選択手段は、供給されるシートが厚い程、高い加熱温度を選択する。
従って、定着ローラは、シートの厚みに応じた加熱温度でトナー像をシートに定着する。
【００１６】
本発明にあっては、記憶手段が供給されるシートの幅に関する情報を記憶し、シート幅判定手段は、記憶手段が記憶した情報に基づいて、定着ローラの軸方向におけるシートの幅が所定長以上であるか否かを判定する。シート幅判定手段が否と判定した場合、シートにトナー像を定着する都度、停止手段はシートの供給及び定着ローラの加熱を一時停止させる。
従って、前記幅が所定長未満の一のシートにトナー像を定着させた場合、又は定着ローラが高い加熱温度で一のシートにトナー像を定着させた場合、一定時間、定着ローラにシートが接触せず、しかも定着ローラは加熱されないため、より速やかに定着ローラ表面の温度が均一化し、定着ローラの両端部の温度が低下する。
【００１９】
本発明に係る画像形成装置は、前記停止手段がシートの供給及び加熱を一時停止させた場合、前記定着ローラを回転させる手段を備えることを特徴とする。
【００２０】
本発明にあっては、停止手段が定着ローラの加熱を一時停止させた場合、画像形成装置は、定着ローラを回転させるため、定着ローラは風を受ける。従って、定着ローラが回転しない場合に比べて、より速やかに定着ローラの両端部の温度が低下する。
【発明の効果】
【００２１】
本発明にあっては、定着ローラを高温に加熱する場合、従来の画像形成装置に比べてより速やかに定着ローラの両端部の熱を放出させて両端部の破損を防ぐことができ、しかも画像形成速度を上昇させることができる。
【００２２】
本発明にあっては、シートの種類に応じた加熱温度でトナー像をシートに確実に定着させることができ、しかも定着ローラの両端部の破損を防ぎ、画像形成速度を上昇させることができる。
【００２３】
本発明にあっては、定着ローラの軸方向におけるシートの幅が所定長未満である場合、又は定着ローラを高温に加熱する場合、従来の画像形成装置に比べて、より速やかに定着ローラの両端部の熱を放出させて両端部の破損を防ぐことができ、しかも画像形成速度を上昇させることができる。
【００２４】
本発明にあっては、定着ローラの軸方向におけるシートの幅が所定長未満である場合、従来の画像形成装置に比べて、より速やかに定着ローラの両端部の熱を放出させて両端部の破損を防ぐことができ、しかも画像形成速度を上昇させることができる。
【００２５】
本発明にあっては、より効果的に定着ローラの両端部の熱を放出させて両端部の破損を防ぎ、画像形成速度を上昇させることができる。
【発明を実施するための最良の形態】
【００２６】
以下、本発明をその実施の形態を示す図面に基づいて詳述する。
図１は、本発明の実施の形態に係る複合機の構成を示すブロック図である。複合機は、原稿を読み取り、原稿の画像データを取得する読取部６、取得した画像データを一時的に蓄積する画像メモリ７、画像メモリ７に蓄積された画像データに基づいて、画像をシート、例えば用紙に記録する記録部９、及びＭＰＵ１を備えており、ＭＰＵ１は、バス１３を介して画像データの取得及び記録を制御することで、コピー機能を実現するように構成されている。
【００２７】
バス１３には、ＲＯＭ２、ＲＡＭ３及び計時部１２が接続されている。ＲＯＭ２は、フラッシュメモリからなり、複合機の動作に必要な各種制御プログラムを格納している。
ＭＰＵ１は、ＲＯＭ２に格納されている制御プログラムをＲＡＭ３に読み出して実行することにより、複合機のコピー機能、ファクシミリ機能等の各種機能を実現する。
【００２８】
読取部６は、原稿に光を照射する光源、原稿で反射された反射光を電気信号に変換するラインＣＣＤ等の光学素子を備えており、ラインＣＣＤが変換した電気信号に基づいて原稿の画像データを取得する。そして、読取部６は、取得した画像データを画像メモリ７に与える。
【００２９】
記録部９は、トナー像を形成して用紙に転写する画像形成部９１、転写された用紙上のトナー像を定着させる定着部９２、及び記録制御部９０を備えている。また、記録部９は、異なるサイズの用紙を夫々収容する第１用紙カセット９３ａ及び第２用紙カセット９３ｂ、並びに手差しトレイ９３ｃを備えている。更に、記録部９は、第１用紙カセット９３ａ、第２用紙カセット９３ｂ、及び手差しトレイ９３ｃにセットされた用紙の最上層の一枚を取り出し、搬送ローラ９５を介して画像形成部９１へ供給する第１乃至第３給紙ローラ９４ａ，９４ｂ，９４ｃを備えている。第１用紙カセット９３ａ、第２用紙カセット９３ｂ又は手差しトレイ９３ｃから画像形成部９１、定着部９２に至るまでの用紙の搬送経路１０１は、一点鎖線で示している。
【００３０】
画像形成部９１は、感光ドラム９１１、帯電ブラシ９１５、発光ダイオードアレイ９１２、現像器９１３、転写ローラ９１４、メモリ除去ブラシ９１６等を備えている。
【００３１】
感光ドラム９１１に臨設された帯電ブラシ９１５は、矢符方向へ回転する感光ドラム９１１の表面にマイナスの電荷を与える。発光ダイオードアレイ９１２は、感光ドラム９１１の軸方向に並設された複数の発光ダイオードを備え、画像データに応じた光を、回転している感光ドラム９１１に照射することで、照射部分の電荷を消失させ、静電潜像を感光ドラム９１１上に形成させる。
【００３２】
現像器９１３は、トナーを収容したトナーカートリッジ９１３ａ、トナーカートリッジ９１３ａに収容されたトナーを攪はんするパドル９１３ｂ、感光ドラム９１１の静電潜像にトナーを付着させてトナー像を現像する現像ローラ９１３ｄ、及びトナーを現像ローラ９１３ｄに供給するトナー供給ローラ９１３ｃ等で構成されている。
【００３３】
転写ローラ９１４は、感光ドラム９１１と圧着した状態で対向配置されており、感光ドラム９１１に追動して、感光ドラム９１１に形成されたトナー像を用紙に転写する。
【００３４】
メモリ除去ブラシ９１６は、帯電ブラシ９１５の下側で感光ドラム９１１に臨設されており、転写後の感光ドラム９１１周面に残留したトナーを除去する。
【００３５】
定着部９２は、定着ローラ９２１、加圧ローラ９２２、加熱部９２３、温度検出部９２４等を備えている。
【００３６】
定着ローラ９２１は、熱伝導性の高い部材で形成されており、加圧ローラ９２２と圧着した状態で対向配置するように図示しない軸受部にて回転自在に支持され、定着ローラ９２１及び加圧ローラ９２２は夫々矢符方向へ回転駆動される。定着ローラ９２１には、図示しない駆動回路にて回転するモータの回転力が伝達されるように構成されている。温度検出部９２４は、サーミスタを備えており、加熱された定着ローラ９２１の軸方向略中央部の表面温度を検出し、検出結果を記録制御部９０に与える。記録制御部９０は、温度検出部９２４の検出結果に基づいて通電制御信号を加熱部９２３に与える。加熱部９２３は、定着ローラ９２１内部に収容されたハロゲンランプを備えており、記録制御部９０からの通電制御信号に応じてハロゲンランプに給電し、定着ローラ９２１を加熱する。
【００３７】
また、複合機は、ファクシミリ通信により画像データを送受信するためのＮＣＵ（Ｎｅｔｗｏｒｋ  Ｃｏｎｔｒｏｌ  Ｕｎｉｔ）４及びモデム５、並びに送受信される画像データを所定の符号化方式、例えばＭＨ、ＭＲ、ＭＭＲ等の符号化方式に従って符号化及び復号化する符号化・復号化部８を備えており、ＭＰＵ１は、画像データの送受信、原稿の読み取り、画像の印刷を制御することで、ファクシミリ機能を実現する。
【００３８】
モデム５は、バス１３に接続されており、公衆電話回線網（ＰＳＴＮ：Ｐｕｂｌｉｃ  Ｓｗｉｔｃｈｅｄ  Ｔｅｌｅｐｈｏｎｅ  Ｎｅｔｗｏｒｋ）から入力されたアナログの画像データをデジタルの画像データに復調し、またＭＰＵ１の制御によってバス１３を介して画像メモリ７から与えられた画像データをアナログの信号に変調する機能を備えている。
【００３９】
ＮＣＵ４は、公衆電話回線網との回線Ｌの閉結及び開放の動作を行うハードウェアであり、ＭＰＵ１の制御に応じてモデム５とＰＳＴＮとを接続する。
【００４０】
符号化・復号化部８は、ＭＰＵ１の制御に応じて、読取部６が読み取った画像データを符号化して、符号化した画像データをモデム５に与える。また、符号化・復号化部８は、ファクシミリ通信によって受信した画像データを復号化して、画像メモリ７に蓄える。
【００４１】
また、バス１３には、複合機を操作するための操作部１０及び表示部１１が接続されている。
表示部１１は、複合機の動作状態、複合機を操作するためのソフトキーを表示する液晶ディスプレイを備えている。
操作部１０は、表示部１１に対向配置された抵抗膜方式、又は静電容量方式のタッチパネルを備え、表示部１１に表示されたソフトキーの操作を受け付け、ＭＰＵ１がタッチパネルの操作状態を検出することができるように構成されている。また、操作部１０は、押しボタン式のキー、例えば印刷部数を受け付けるためのテンキー、印刷部数等の各種設定を初期化するためのリセットキー、スタートキー等を備えている。
【００４２】
図２及び図３は、画像形成に係るＭＰＵ１の処理手順を示すフローチャートである。
ＭＰＵ１は、操作部１０の操作状態を検出することで、用紙の種類を受け付け、受け付けた用紙の種類をＲＡＭ３に一時記憶させる（ステップＳ１１）。例えば、ＭＰＵ１は、普通紙、厚紙、封筒等の種類を受け付ける。次いで、ＭＰＵ１は、操作部１０の操作状態を検出することで用紙のサイズを受け付け、受け付けた用紙のサイズをＲＡＭ３に一時記憶させる（ステップＳ１２）。
【００４３】
そして、ＭＰＵ１は、操作部１０のスタートボタンの操作状態を検出することで、印刷の開始を受け付けたか否かを判定する（ステップＳ１３）。印刷の開始を受け付けていないと判定した場合（ステップＳ１３：ＮＯ）、ＭＰＵ１は、処理をステップＳ１１へ戻す。
【００４４】
印刷の開始を受け付けたと判定した場合（ステップＳ１３：ＹＥＳ）、ＭＰＵ１は、用紙の種類に基づいて、第１加熱温度又は第１加熱温度より高温の第２加熱温度のいずれかを設定温度として選択する（ステップＳ１４）。例えば、ＭＰＵ１は、ステップＳ１１で普通紙を受け付けた場合、第１加熱温度を選択し、厚紙又は封筒を受け付けた場合、第２加熱温度を選択する。
【００４５】
次いで、ＭＰＵ１は、加熱部９２３を駆動することで、定着ローラ９２１を加熱させる（ステップＳ１５）。そして、ＭＰＵ１は、温度検出部９２４の検出結果を取得し、取得した検出結果に基づいて定着ローラ９２１の温度が選択された設定温度以上であるか否かを判定する（ステップＳ１６）。設定温度以上でないと判定した場合（ステップＳ１６：ＮＯ）、ＭＰＵ１は、処理をステップＳ１６へ戻す。
【００４６】
設定温度以上であると判定した場合（ステップＳ１６：ＹＥＳ）、ＭＰＵ１は、第１乃至第３給紙ローラ９４ａ，９４ｂ，９４ｃのいずれかを回転駆動し、受け付けたサイズの用紙を供給する（ステップＳ１７）。
【００４７】
次いで、ＭＰＵ１は、画像形成部９１及び定着部９２によるトナー像の形成、転写及び定着を制御し、画像を用紙に形成する（ステップＳ１８）。そして、ＭＰＵ１は、未形成の画像があるか否かを判定する（ステップＳ１９）。未形成の画像がないと判定した場合（ステップＳ１９：ＮＯ）、ＭＰＵ１は、画像形成に係る処理を終える。
【００４８】
未形成の画像があると判定した場合（ステップＳ１９：ＹＥＳ）、ＭＰＵ１は、ステップＳ１２で受け付けた用紙のサイズに基づいて、定着ローラ９２１の軸方向における用紙の幅が、定着ローラ９２１の軸方向の幅より短い所定長以上であるか否かを判定する（ステップＳ２０）。所定長以上であると判定した場合（ステップＳ２０：ＹＥＳ）、ＭＰＵ１は、設定温度が第２加熱温度であるか否かを判定する（ステップＳ２１）。第２加熱温度でないと判定した場合（ステップＳ２１：ＮＯ）、ＭＰＵ１は、処理をステップＳ１７へ戻す。
【００４９】
第２加熱温度であると判定した場合（ステップＳ２１：ＹＥＳ）、又は用紙の幅が所定長未満であると判定した場合（ステップＳ２０：ＮＯ）、ＭＰＵ１は、計時部１２に計時を開始させる（ステップＳ２２）。次いで、ＭＰＵ１は、加熱部９２３による定着ローラ９２１の加熱を停止させ、第１乃至第３給紙ローラ９４ａ，９４ｂ，９４ｃの回転を停止させて用紙の供給を停止させる（ステップＳ２３）。そして、ＭＰＵ１は、定着ローラ９２１を回転させる（ステップＳ２４）。
【００５０】
次いで、ＭＰＵ１は、計時部１２が特定時間を計時したか否かを判定する（ステップＳ２５）。特定時間は、定着ローラ９２１の両端部の温度を定着部９２が劣化又は破損しない温度まで低下させるために必要な時間であり、ＭＰＵ１又はＲＯＭ２が予め記憶している。特定時間を計時したと判定したと判定した場合（ステップＳ２５：ＹＥＳ）、ＭＰＵ１は、処理をステップＳ１５へ戻す。特定時間を計時していないと判定した場合（ステップＳ２５：ＮＯ）、ＭＰＵ１は、処理をステップＳ２５へ戻す。
【００５１】
このように構成された画像形成装置にあっては、定着ローラ９２１の軸方向における用紙の幅が所定長未満である場合、又は定着ローラ９２１を第２加熱温度に加熱してトナー像を定着させる場合、用紙にトナー像を定着する都度、用紙の供給及び定着ローラ９２１の加熱を一時停止させるため、従来の画像形成装置に比べて、定着ローラ９２１の両端部の熱をより速やかに放出させて、両端部及び軸受部の破損を防ぎ、しかも画像形成速度を上昇させることができる。
【００５２】
また、用紙の種類を受け付け、定着ローラ９２１を加熱する温度を用紙の種類に応じて高低させるように構成することにより、用紙の種類に応じた加熱温度でトナー像を用紙に確実に定着させることができる。
【００５３】
更に、用紙の供給及び定着ローラ９２１の加熱を一時停止すると共に定着ローラ９２１を回転させるため、より効果的に定着ローラ９２１の両端部の熱を放出させて、両端部及び軸受部の破損を防ぎ、画像形成速度を上昇させることができる。
【００５４】
更にまた、用紙の幅が所定長以上であり、定着ローラ９２１を第１加熱温度に加熱してトナー像を定着させる場合、用紙の供給及び定着ローラ９２１の加熱を一時停止することなく、順次画像を形成するため、用紙の種類及び幅に応じて画像形成速度を選択し、画像形成速度を向上させることができる。
【００５５】
なお、実施の形態にあっては、用紙の種類及び幅に応じて、用紙の供給及び定着ローラの加熱を一時停止させるように構成してあるが、用紙の種類又は幅のいずれか一つに基づいて、用紙の供給及び定着ローラの加熱を一時停止させるように構成しても良い。
【００５６】
また、操作部で用紙の種類及び幅を受け付けて、ＲＡＭに記憶させるように構成してあるが、用紙の種類又は幅を検出する検出手段を備え、該検出手段の検出結果をＲＡＭに記憶させるように構成しても良い。
【００５７】
更に、用紙に画像を形成する場合を説明したが、用紙に限らず、合成樹脂その他の部材からなるシートに画像を形成する場合に本発明を適用しても良い。
【図面の簡単な説明】
【００５８】
【図１】本発明の実施の形態に係る複合機の構成を示すブロック図である。
【図２】画像形成に係るＭＰＵの処理手順を示すフローチャートである。
【図３】画像形成に係るＭＰＵの処理手順を示すフローチャートである。
【符号の説明】
【００５９】
１  ＭＰＵ
２  ＲＯＭ
３  ＲＡＭ
４  ＮＣＵ
５  モデム
６  読取部
７  画像メモリ
８  符号化・復号化部
９  記録部
１０  操作部
１１  表示部
１２  計時部
１３  バス
９０  記録制御部
９１  画像形成部
９２  定着部
９３ａ  第１用紙カセット
９３ｂ  第２用紙カセット
９３ｃ  手差しトレイ
９４ａ  第１給紙ローラ
９４ｂ  第２給紙ローラ
９４ｃ  第３給紙ローラ
９５  搬送ローラ
９２１  定着ローラ
９２３  加熱部
９２４  温度検出部
【図１】
0004513778.tif 000002
【図２】
0004513778.tif 000003
【図３】
0004513778.tif 000004